(57)【要約】【課題】火消し部材によりタバコの火を簡単、確実に消すことができ、火消し部材に灰が詰まることを防止することができる灰皿を提供すること。【解決手段】灰皿１は、枠体３と灰受け皿４とで構成される本体２と、蓋体５と、蓋体５を本体２に対し回動可能に支持するヒンジ構造部６と、タバコの先端部を挿入し得る筒状の火消し部材７と、バネ８とを備える。火消し部材７は、蓋体５と共に回動する第１部材７１と、これに同軸で回動し得る第２部材７２とを有し、これらを組み合わせること（合体状態とすること）により筒状となり、タバコの先端を挿入して火を消すことができる。蓋体５が開いた状態では、火消し部材７は筒状をなしているが、蓋体５を閉じる動作に伴って、第２部材７２が第１部材７１に対し回動してこれらが分割される。これにより、火消し部材７内に詰まっていた灰が崩され、排出される。【選択図】図１
2005021115.tif 000002
【特許請求の範囲】
【請求項１】
タバコの灰を受ける灰受け部を有する本体と、前記本体に対し回動可能に支持された蓋体と、タバコの先端部を挿入し得る筒状の火消し部材とを有し、
前記火消し部材は、組み合わせることにより筒状となる第１部材および第２部材で構成され、
前記蓋体が開いた状態では、前記火消し部材は筒状をなし、前記蓋体を閉じる動作に伴って、前記第１部材と第２部材とが分割されることを特徴とする灰皿。
【請求項２】
タバコの灰を受ける灰受け部を有する本体と、前記本体に対し回動可能に支持された蓋体と、タバコの先端部を挿入し得る筒状の火消し部材とを有し、
前記火消し部材は、組み合わせることにより筒状となる第１部材および第２部材で構成され、前記第１部材は、前記蓋体と共に回動し、前記第２部材は、前記第１部材に対し変位可能に設置され、
前記蓋体が開いた状態では、前記火消し部材は筒状をなし、前記蓋体を閉じる動作に伴って、前記第１部材と第２部材とが分割されることを特徴とする灰皿。
【請求項３】
タバコの灰を受ける灰受け部を有する本体と、前記本体に対し回動可能に支持された蓋体と、タバコの先端部を挿入し得る筒状の火消し部材とを有し、
前記火消し部材は、組み合わせることにより筒状となる第１部材および第２部材で構成され、前記第１部材は、前記蓋体と共に回動し、前記第２部材は、前記第１部材に対し回動可能に設置され、
前記蓋体が開いた状態では、前記火消し部材は筒状をなし、前記蓋体を閉じる動作に伴って、前記第２部材が前記第１部材に対し相対的に回動してこれらが分割されることを特徴とする灰皿。
【請求項４】
前記第１部材は、前記蓋体に固定的に設置され、前記第２部材は、前記本体および前記蓋体に対しそれぞれ回動し得るように設置されている請求項３に記載の灰皿。
【請求項５】
前記第１部材の回動中心軸と前記第２部材の回動中心軸とが一致している請求項３または４に記載の灰皿。
【請求項６】
前記第１部材の回動角度範囲が前記第２部材の回動角度範囲より大きい請求項３ないし５のいずれかに記載の灰皿。
【請求項７】
前記蓋体が開いた状態では、前記第１部材に対する前記第２部材の開き角度が１０〜６０°である請求項３ないし６のいずれかに記載の灰皿。
【請求項８】
前記蓋体が開いた状態では、前記第１部材の上部に前記第２部材が位置した状態となる請求項１ないし７のいずれかに記載の灰皿。
【請求項９】
前記第２部材を前記第１部材に対し圧接するように付勢する付勢手段を有する請求項１ないし７のいずれかに記載の灰皿。
【請求項１０】
前記蓋体が閉じた状態では、前記第１部材のタバコ挿入側端部が下方または斜め下方を向いている請求項１ないし９のいずれかに記載の灰皿。
【請求項１１】
前記第２部材は、その横断面形状がＵ字状をなし、前記第１部材は、前記第２部材の側面開放部を塞ぐ板片状をなしている請求項１ないし１０のいずれかに記載の灰皿。
【発明の詳細な説明】
【０００１】
【発明の属する技術分野】
本発明は、灰皿、例えば自動車の車内に設置して使用される灰皿に関するものである。
【０００２】
【従来の技術】
従来、自動車の車内では、灰皿が設置されて用いられている。この種の灰皿としては、タバコの火を簡単、確実に消すために、タバコの先端部を挿入する円筒状の火消し部材（吸い殻挿入孔５）を備えた灰皿が知られている（例えば、特許文献１参照）。
【０００３】
特許文献１に記載の灰皿は、火消し部材の下端部の内径がタバコの外径より小さくなった縮径部を有しており、タバコの先端が通過せず、確実に火を消すことができるようになっている。
【０００４】
しかしながら、この灰皿では、何本もタバコの火を消しているうちに、火消し部材の縮径部に灰が詰まり、これにより、火を消す機能が低下したり、タバコを挿入できなくなったりするという弊害が生じる。
【０００５】
また、同様の円筒状の火消し部材を備え、該火消し部材の側面に複数のスリット状の開口（通孔４）が形成された灰皿（火消し具）が開示されている（例えば、特許文献２参照）。
【０００６】
しかしながら、この灰皿においても、灰を除去する機能が十分ではなく、何本もタバコの火を消しているうちに、スリット状の開口（通孔４）に灰が詰まり、さらにそれが原因で火消し部材の内部にも灰が詰まるようになるので、火を消す機能が低下したり、タバコを挿入できなくなったりするという弊害が生じる。
【０００７】
【特許文献１】
実開平６−４４６３４号公報
【特許文献２】
実開平６−２３４９８号公報
【０００８】
【発明が解決しようとする課題】
本発明は、上記従来技術の欠点に鑑みなされたものであり、その目的は、火消し部材によりタバコの火を簡単かつ確実に消すことができるとともに、火消し部材に灰が詰まることを防止することができる灰皿を提供することにある。
【０００９】
【課題を解決するための手段】
このような目的は、以下の（１）〜（１１）の本発明により達成される。
【００１０】
（１）  タバコの灰を受ける灰受け部を有する本体と、前記本体に対し回動可能に支持された蓋体と、タバコの先端部を挿入し得る筒状の火消し部材とを有し、
前記火消し部材は、組み合わせることにより筒状となる第１部材および第２部材で構成され、
前記蓋体が開いた状態では、前記火消し部材は筒状をなし、前記蓋体を閉じる動作に伴って、前記第１部材と第２部材とが分割されることを特徴とする灰皿。
【００１１】
（２）  タバコの灰を受ける灰受け部を有する本体と、前記本体に対し回動可能に支持された蓋体と、タバコの先端部を挿入し得る筒状の火消し部材とを有し、
前記火消し部材は、組み合わせることにより筒状となる第１部材および第２部材で構成され、前記第１部材は、前記蓋体と共に回動し、前記第２部材は、前記第１部材に対し変位可能に設置され、
前記蓋体が開いた状態では、前記火消し部材は筒状をなし、前記蓋体を閉じる動作に伴って、前記第１部材と第２部材とが分割されることを特徴とする灰皿。
【００１２】
（３）  タバコの灰を受ける灰受け部を有する本体と、前記本体に対し回動可能に支持された蓋体と、タバコの先端部を挿入し得る筒状の火消し部材とを有し、
前記火消し部材は、組み合わせることにより筒状となる第１部材および第２部材で構成され、前記第１部材は、前記蓋体と共に回動し、前記第２部材は、前記第１部材に対し回動可能に設置され、
前記蓋体が開いた状態では、前記火消し部材は筒状をなし、前記蓋体を閉じる動作に伴って、前記第２部材が前記第１部材に対し相対的に回動してこれらが分割されることを特徴とする灰皿。
【００１３】
（４）  前記第１部材は、前記蓋体に固定的に設置され、前記第２部材は、前記本体および前記蓋体に対しそれぞれ回動し得るように設置されている上記（３）に記載の灰皿。
【００１４】
（５）  前記第１部材の回動中心軸と前記第２部材の回動中心軸とが一致している上記（３）または（４）に記載の灰皿。
【００１５】
（６）  前記第１部材の回動角度範囲が前記第２部材の回動角度範囲より大きい上記（３）ないし（５）のいずれかに記載の灰皿。
【００１６】
（７）  前記蓋体が開いた状態では、前記第１部材に対する前記第２部材の開き角度が１０〜６０°である上記（３）ないし（６）のいずれかに記載の灰皿。
【００１７】
（８）  前記蓋体が開いた状態では、前記第１部材の上部に前記第２部材が位置した状態となる上記（１）ないし（７）のいずれかに記載の灰皿。
【００１８】
（９）  前記第２部材を前記第１部材に対し圧接するように付勢する付勢手段を有する上記（１）ないし（７）のいずれかに記載の灰皿。
【００１９】
（１０）  前記蓋体が閉じた状態では、前記第１部材のタバコ挿入側端部が下方または斜め下方を向いている上記（１）ないし（９）のいずれかに記載の灰皿。
【００２０】
（１１）  前記第２部材は、その横断面形状がＵ字状をなし、前記第１部材は、前記第２部材の側面開放部を塞ぐ板片状をなしている上記（１）ないし（１０）のいずれかに記載の灰皿。
【００２１】
【発明の実施の形態】
以下、本発明の灰皿を添付図面に示す好適実施形態に基づいて詳細に説明する。
【００２２】
図１は、本発明の灰皿の実施形態における蓋体が閉じた状態を示す斜視図（内部透視図）、図２は、本発明の灰皿の実施形態における蓋体が開いた状態を示す斜視図、図３は、図１中のＡ−Ａ線断面図（蓋体が閉じた状態）、図４は、図２中のＢ−Ｂ線断面図（蓋体が開いた状態）である。以下、これらの図に基づいて、灰皿１の構成について説明する。なお、説明の都合上、図１〜図４中の上側を「上」、「上部」または「上端」といい、下側を「下」、「下部」または「下端」といい、図２および図４中の右側を「後部」または「後方」といい、左側を「前部」または「前方」という。
【００２３】
灰皿１は、本体２と、蓋体５と、蓋体５を本体２に対し回動可能に支持するヒンジ構造部６と、タバコの先端部を挿入し得る筒状の火消し部材７とを有している。
【００２４】
本体２は、環状の枠体３と、枠体３の下方に着脱自在に装着されたカップ状の灰受け皿（灰受け壷）４とで構成されている。灰受け皿４は、有底筒状の部材であり、その内部にはタバコの灰や吸殻が集積される。タバコの灰や吸殻がある程度の量集積されたら、灰受け皿４を枠体３から取り外してそれらを捨て、再び枠体３に装着する。なお、本発明における本体２は、このような構成に限らず、灰受け皿４が枠体３に対し固定的に設置されていてもよく、あるいは、本体２自体が１つの部材で構成されていてもよい。
【００２５】
蓋体５は、枠体３の外周とほぼ同形状の皿状をなしており、蓋体５を閉じたときには、枠体３の上端開口を覆う（図１、図３参照）。この蓋体５は、ヒンジ構造部６を介して枠体３の後部に回動可能に設置されている。
【００２６】
ヒンジ構造部６は、蓋体５の下面（内面）に設けられた一対の支持片６１、６２と、両支持片６１、６２を貫通する回動軸６３とで構成されている。回動軸６３の両端は、それぞれ、枠体３に固定されている。また、回動軸６３の回りには、蓋体５を開く方向（図４中時計方向）に付勢する付勢手段であるバネ（トーションバネ）８が設置されている。
【００２７】
なお、回動軸６３は、一本の連続した軸に限らず、左右一対の短軸で構成されたものでもよい。
【００２８】
また、本実施形態では、蓋体５が閉じた状態を維持するロック機構５１を有している。このロック機構５１は、主に、蓋体５の前部下面側に突出形成された爪部材の爪５２と、枠体３の全部の内側に形成され、爪５２が係合し得る係合孔５３とを有している。
【００２９】
前記爪部材の爪５２と反対側の端部には、ボタン５４が設けられている。このボタン５４の根元部には、弾性材料で構成されたリング状の弾性部材５５が装着されている。ボタン５４を指で押し、その指を離すと、弾性部材５５の弾性力により、ボタン５４は元の位置に戻る。
【００３０】
バネ８の付勢力に抗して蓋体５を閉じると、爪５２が係合孔５３に係合し、ロック機構５１がロックされる。これにより、蓋体５は、閉じた状態（図１、図３参照）が維持される。また、蓋体５が閉じ、ロック機構５１によりロックがなされた状態から、ボタン５４を後方に向かって押すと、爪５２が引っ込み（後方に移動し）、係合孔５３から外れてロックが解除される。これにより、蓋体５が開く。
【００３１】
火消し部材７は、第１部材７１と第２部材７２とで構成されている。この第１部材７１と第２部材７２とは、図１および図３に示す開いた状態（分割状態）と、図２および図４に示す組み合わされた状態（合体状態）とをとり得るよう、その少なくとも一方が他方に対し変位（回動）する。
【００３２】
第２部材７２は、その横断面形状がＵ字状をなしており、その下方側面が開放している。これに対し、第１部材７１は、第２部材７２の前記下方側面開放部を塞ぐことができるように配置された板片状の部材であり、その内面（上面）はほぼ円弧状に湾曲した湾曲凹面をなしている。このような第１部材７１と第２部材７２とを組み合わせることにより、ほぼ筒状の火消し部材７が構成され、この内部（内腔７０）にタバコの先端を挿入し、タバコの火を消すことができる。
【００３３】
第１部材７１は、回動軸６３およびバネ８の下方に位置し、回動軸６３とほぼ平行な方向に伸びる連結部材７３を介して、支持片６１に連結されている。すなわち、第１部材７１は、連結部材７３および支持片６１を介して蓋体５に固定的に設置されている。これにより、第１部材７１は、蓋体５と共に回動する。
【００３４】
第２部材７２は、蓋体５、第１部材７１および枠体３に対し回動可能に設置されている。すなわち、回動軸６３が第２部材７２の後端部を貫通しており、第２部材７２は、回動軸６３を中心に回動する。
【００３５】
このように、第１部材７１の回動の中心軸と第２部材７２の回動の中心軸とが一致している。これにより、部品点数を少なくし、構造を簡素化することができるという利点がある。
【００３６】
第２部材７２の後端には、枠体３の後部内面に当接し得る突起状の当接部７４が形成されている。第２部材７２が図４に示す状態から反時計方向に回動し、当接部７４が枠体３の後部内面に当接すると（図３参照）、第２部材７２はそれ以上図３中反時計方向に回動しない。すなわち、当接部７４の当接により、第２部材７２の図３中反時計方向の回動が規制（停止）される。
【００３７】
また、第２部材７２の側部（図１、図２中左奥側の側部）には、バネ８の上部を覆うように配置された板状のカバー７５が第２部材７２に固着または一体化されている。このカバー７５は、第２部材７２と共に回動軸６３を中心に回動する。
【００３８】
カバー７５の後部には、カバー７５の本体部分に対し例えば３０〜６０°の角度で上方に向かって折り曲げられた形状の折り曲げ部７６が設けられている。
【００３９】
バネ８の一端部８１は、連結部材７３の後部上面に当接し、バネ８の他端部８２は、カバー７５の折り曲げ部７６の内面に当接している。これにより、第２部材７２は、図４中反時計方向に、すなわち第１部材７１に圧接するように付勢される。また、第１部材７１は、図４中時計方向に付勢され、これにより、蓋体５は開く方向に付勢される。
【００４０】
第１部材７１は、蓋体５に対し固定的に設置されているので、第１部材７１の回動角度範囲（最大回動角度）αは、蓋体５の回動角度範囲に等しい（図４参照）。この回動角度範囲αは、好ましく７０〜１２０°程度、より好ましくは７５〜１１５°程度である。
【００４１】
また、図４に示す状態から蓋体５が閉じる方向に回動したとき、初期では第２部材７２も同方向に回動するが、蓋体５が完全に閉じる前に当接部７４が枠体３の後部内面に当接し、第２部材７２の回動が停止するので、第２部材７２の回動角度範囲（最大回動角度）βは、αより小さい。
【００４２】
この場合、α−βは、蓋体５が閉じた状態における第１部材７１の第２部材７２に対する開き角度にほぼ等しい（図３参照）。このα−βは、特に限定されないが、１０〜７０°程度が好ましく、２０〜５５°程度がより好ましく、３０〜４０°程度がさらに好ましい。これにより、火消し部材７の内腔７０に灰が詰まった場合、その灰を効率よく排出することができる。
【００４３】
図２および図４に示すように、蓋体５が開いた状態では、第１部材７１と第２部材７２とは互いに圧接されて組み合わされた状態となっており、第１部材７１の上部（上側）に第２部材７２が位置している。そして、火消し部材７の前方側開口（内腔７０の前方側端部）は、前方斜め上方を向いている。これにより、蓋体５を開けたとき、火消し部材７の内腔７０にタバコの先端部を容易、確実に挿入して、火を消すことができる。
【００４４】
また、蓋体５が閉じた状態では、第１部材７１が第２部材７２に対し開く（開き角度＝α−β）ように回動し、第１部材７１の前方側端部（タバコ挿入側端部）が下方または前方斜め下方を向いている。これにより、火消し部材７の内腔７０に灰が詰まった場合、その灰を効率よく排出することができる。
【００４５】
枠体３、灰受け皿４、蓋体５、支持片６１、６２、第１部材７１、第２部材７２、連結部材７３、カバー７５等は、それぞれ、耐熱性、不燃性または難燃性を有する材料で構成されているのが好ましい。そのような材料としては、例えば、アルミニウム、ステンレス鋼等の各種金属材料、ポリカーボネート、ポリエチレンテレフタレート、ポリブチレンテレフタレート等のポリエステル（特に、熱可塑性強化ポリエステル）、ポリアミド、その他、エポキシ樹脂、フェノール樹脂に代表される熱硬化性樹脂等の各種樹脂材料、各種セラミックス材料等が挙げられる。
【００４６】
なお、本発明においては、第１部材７１と第２部材７２が組み合わされて（合体して）火消し部材７が構成され、タバコの火を消す機能が生じ、第１部材７１と第２部材７２とが分割して、詰まった灰を崩し、除去する機能が生じるものであるが、第１部材７１と第２部材７２の分割の形態は、本実施形態のような、第２部材７２に対する第１部材７１の回動（開閉）に限らず、例えば、第１部材７１と第２部材７２とが内腔７０の長手方向またはそれに直交する方向に相対的に移動（直線運動）してこれらが分割するようなものであってもよい。
【００４７】
次に、灰皿１の作用について説明する。
図１および図３に示す状態、すなわち、蓋体５が閉じられ、ロック機構５１によりロックがなされた状態（爪５２が係合孔５３に係合した状態）では、第１部材７１と第２部材７２とは分割され、開いた状態となっている。この状態から、ボタン５４を指で後方に押すと、ロック機構５１のロックが解除され、バネ８の付勢力により蓋体５が図３中時計方向に回動する。
【００４８】
この回動により、蓋体５は、徐々に開いてゆく。これに伴い、第１部材７１も時計方向に回動するが、第２部材７２はバネ８の付勢力によりその当接部７４が枠体３の後部内面に当接した状態で静止しているため、第１部材７１は徐々に閉じてゆく。すなわち、第１部材７１の第２部材７２に対する開き角度が徐々に小さくなってゆく。
【００４９】
さらに蓋体５が開いてゆくと、やがて、第１部材７１が第２部材７２に係合、圧接し（両部材の開き角度が０となり）、第１部材７１と第２部材７２とが組み合わされて筒状の火消し部材７を構成する。この状態は、閉状態の蓋体５を時計方向にα−βの角度回動させたときに生じる。以下、この状態（姿勢）を「中間点」という。
【００５０】
中間点から、さらに蓋体５を時計方向に回動し、蓋体５を最も開いた状態（図２および図４に示す状態）にする。このとき、第１部材７１は、バネ８の付勢力に抗して第２部材７２を押圧しながら時計方向に回動するため、第１部材７１と第２部材７２とは一体となって、すなわち火消し部材７を構成した状態で回動する。
【００５１】
蓋体５を最も開いた状態（図２、図４参照）では、火消し部材７は、その前方側開口（内腔７０の前方側端部）が前方斜め上方を向いた姿勢となっている。この状態で、火のついたタバコの先端を火消し部材７の内腔７０内に挿入し、押し込むと、その火が消される。このとき、灰は、火消し部材７の下端開口から灰受け皿４内に落下し、集積される。また、タバコの火が消えたら、その吸殻を火消し部材７から抜き取り、灰受け皿４内に捨てる。
【００５２】
次に、蓋体５が最も開いた状態（図２、図４参照）から、蓋体５を反時計方向に回動して、蓋体５を閉じてゆく。中間点までは、第１部材７１と第２部材７２とは組み合わされて筒状の火消し部材７を構成しているが、中間点を過ぎて蓋体５をさらに反時計方向に回動すると、当接部７４が枠体３の後部内面に当接して第２部材７２の回動が停止するので、第１部材７１は、第２部材７２に対し開いてゆく。すなわち、第１部材７１の第２部材７２に対する開き角度が徐々に大きくなってゆく。換言すれば、第２部材７２は、第１部材７１に対し、相対的に回動し、両部材７１、７２は分割され、開いてゆく。
【００５３】
そして、蓋体５が閉じた状態（図１および図３に示す状態）となると、第１部材７１が第２部材７２に対し、開き角度＝α−βで開き、第１部材７１は、その前方側端部（タバコ挿入側端部）が前方斜め下方を向いた姿勢となる。
【００５４】
ここで、火消し部材７の内腔７０にタバコの灰が詰まっていた場合、第１部材７１が第２部材７２に対し開き、火消し部材７の内腔７０が開放されるため、詰まった灰が崩され（ほぐされ）、落下して灰受け皿４に集積される。
【００５５】
また、蓋体５を閉じると、爪５２が係合孔５３に係合してロックがなされ、蓋体５を閉じた状態が維持される。
【００５６】
このような灰皿１では、上述したように、蓋体５を閉じる動作に伴って、自動的に、火消し部材７の内腔７０に詰まった灰を崩し（ほぐし）、除去することができるので、極めて簡単な操作で灰の詰まりが無い状態、すなわち、火消し部材７による火を消す機能が十分に保たれた状態を維持しておくことができる。
【００５７】
また、蓋体５が閉じる直前に、あるいは蓋体５が完全に閉じる前に（蓋体５が半開きの状態で）、第１部材７１と第２部材７２と分割し、火消し部材７の内腔７０に詰まった灰を崩し、落下させるので、崩された灰や火の粉が舞い上がることも防止され、周囲を安全かつ清潔に保つことができる。
【００５８】
また、火消し部材７の内腔７０の灰による詰まりを解除する操作（灰落とし操作）をそれ専用に行わなくても、蓋体５を閉じる操作に伴って自動的に灰落とし操作が行われるので、メインテナンスが極めて簡単で、便利である。
【００５９】
なお、前述した実施形態では、蓋体５は、主に閉じた状態と開いた状態（最も開いた状態）の２つの状態をとり得るものとして説明したが、これらの間の任意の位置（状態）、例えば、前記中間点または前記中間点と最も開いた状態との間の位置で蓋体５が静止可能な構成としてもよい。この場合、蓋体５は、任意の位置で連続的に静止可能なものでも、段階的（１または２段階以上）に静止可能なものでもよい。
【００６０】
以上のような灰皿１は、自動車の車内、電車や航空機の車内、機内、室内、店内、トイレ内、公園等の屋外、公共の場所、その他喫煙可能な各種場所等、いかなる場所に設置されるものでもよい。本発明の灰皿を自動車の車内に設置して使用する場合、灰皿１を例えば自動車のダッシュボード、エアコンの噴出し口、ドアの内面、コンソールボックス付近、座席の背面等の箇所に固定する固定手段（図示せず）を設けることができる。
【００６１】
以上、本発明を図示の実施形態に基づいて説明したが、本発明はこれに限定されるものではなく、各部の構成は、同様の機能を発揮し得る任意の構成と置換することができ、また、任意の構成が付加されていてもよい。
【００６２】
【発明の効果】
以上述べたように、本発明によれば、火消し部材によりタバコの火を簡単かつ確実に消すことができるとともに、火消し部材に灰が詰まることを防止することができ、火消し部材の火消し機能を十分に保持することができる。
【００６３】
特に、火消し部材の内部に詰まった灰の除去は、蓋体を閉じる操作に伴って自動的になされるため、灰を除去するための面倒な操作が不要であり、便利である。
【００６４】
また、本発明の灰皿は、簡単な構造で、部品点数も少なく、小型化、軽量化にも有利である。
【図面の簡単な説明】
【図１】本発明の灰皿の実施形態における蓋体が閉じた状態を示す斜視図（内部透視図）である。
【図２】本発明の灰皿の実施形態における蓋体が開いた状態を示す斜視図である。
【図３】図１中のＡ−Ａ線断面図（蓋体が閉じた状態）である。
【図４】図２中のＢ−Ｂ線断面図（蓋体が開いた状態）である。
【符号の説明】
１          灰皿
２          本体
３          枠体
４          灰受け皿
５          蓋体
５１        ロック機構
５２        爪
５３        係合孔
５４        ボタン
５５        弾性部材
６          ヒンジ構造部
６１        支持片
６２        支持片
６３        回動軸
７          火消し部材
７０        内腔
７１        第１部材
７２        第２部材
７３        連結部材
７４        当接部
７５        カバー
７６        折り曲げ部
８          バネ
８１        一端部
８２        他端部
【図１】
2005021115.tif 000003
【図２】
2005021115.tif 000004
【図３】
2005021115.tif 000005
【図４】
2005021115.tif 000006